(57)【要約】【課題】揚水時に火力発電機が出力を増加した際に要した費用を算出する。【解決手段】各発電機の増分単価の電力の出力量に伴う推移を示すデータである推移データを記憶し、揚水時における各発電機の出力量である揚水時出力量を記憶し、揚水に用いられた電力量である揚水電力量を記憶しておく。そして、揚水動力控除後の各発電機における増分単価である揚水動力控除後増分単価を、各発電機における、揚水時出力量と、揚水動力控除後増分単価に対する電力の出力量と、の差の合計が揚水電力量となるように決定する。つぎに、揚水に要した燃料費を、揚水動力控除後増分単価に対する電力の出力量と、記揚水時出力量と、推移データと、に基づいて算出する。【選択図】    図１
2006077636.tif 000002
【特許請求の範囲】
【請求項１】
複数の発電機によって出力される電力を用いて揚水を行う揚水式発電において、揚水に要した燃料費を算出する揚水燃料費算出装置であって、
ＣＰＵ及びメモリと、
前記メモリに設けられた記憶領域である増分単価記憶部、揚水時出力量記憶部、及び揚水電力量記憶部と、
前記ＣＰＵが前記メモリに記憶されているプログラムを実行することにより実現される揚水動力控除後増分単価決定部及び揚水燃料費算出部と、
を備え、
前記増分単価記憶部は、前記発電機を識別するための発電機識別子と、当該発電機において電力の出力量を所定量増やすときの燃料費の増分値である増分単価の前記電力の出力量に伴う推移を示すデータである推移データと、を対応付けて記憶し、
前記揚水時出力量記憶部は、前記発電機識別子と、揚水時の前記発電機における電力の出力量である揚水時出力量と、を対応付けて記憶し、
前記揚水電力量記憶部は、揚水に用いられた電力量である揚水電力量を記憶し、
前記揚水動力控除後増分単価決定部は、揚水動力控除後の前記発電機における増分単価である揚水動力控除後増分単価を、前記複数の発電機の夫々における、前記発電機出力量記憶部に記憶されている前記揚水時出力量と、前記揚水動力控除後増分単価に対して前記増分単価記憶部を参照して得られる前記電力の出力量と、の差の合計が前記揚水電力量記憶部に記憶されている前記揚水電力量となるように決定し、
前記揚水燃料費算出部は、前記揚水に要した燃料費を、前記揚水動力控除後増分単価決定部によって決定された前記揚水動力控除後増分単価に対する前記電力の出力量と、前記発電機出力量記憶部に記憶されている前記揚水時出力量と、前記増分単価記憶部に記憶されている前記推移データと、に基づいて算出すること、
を特徴とする揚水燃料費算出装置。
【請求項２】
請求項１に記載の揚水燃料費算出装置であって、
前記ＣＰＵが前記メモリに記憶されているプログラムを実行することにより実現される揚水時出力量受信部及び揚水電力量受信部を備え、
前記揚水時出力量受信部は、通信可能に接続され、前記発電機における前記電力の出力量を管理しているコンピュータから送信されてくる前記発電機識別子及び前記揚水時出力量を受信し、当該発電機識別子及び当該揚水時出力量を対応付けて前記揚水時出力量記憶部に記録し、
前記揚水電力量受信部は、通信可能に接続され、揚水に用いられた電力量を管理しているコンピュータから送信されてくる前記揚水電力量を受信し、当該揚水電力量を前記揚水電力量記憶部に記録すること、
を特徴とする揚水燃料費算出装置。
【請求項３】
複数の発電機によって出力される電力を用いて揚水を行う揚水式発電において、揚水に要した燃料費を、前記発電機を識別するための発電機識別子と、当該発電機において電力の出力量を所定量増やすときの燃料費の増分値である増分単価の前記電力の出力量に伴う推移を示すデータである推移データと、を対応付けて記憶する増分単価記憶部と、前記発電機識別子と、揚水時の前記発電機における電力の出力量である揚水時出力量と、を対応付けて記憶する揚水時出力量記憶部と、を備えるコンピュータを用いて算出する方法であって、
前記コンピュータは、
揚水動力控除後の前記発電機における増分単価である揚水動力控除後増分単価を、前記複数の発電機の夫々における、前記発電機出力量記憶部に記憶されている前記揚水時出力量と、前記揚水動力控除後増分単価に対して前記増分単価記憶部を参照して得られる前記電力の出力量と、の差の合計が前記揚水電力量記憶部に記憶されている前記揚水電力量となるように決定し、
前記揚水に要した燃料費を、決定された当該揚水動力控除後増分単価に対する前記電力の出力量と、前記発電機出力量記憶部に記憶されている前記揚水時出力量と、前記増分単価記憶部に記憶されている前記推移データと、に基づいて算出すること、
を特徴とする揚水燃料費算出方法。
【請求項４】
複数の発電機によって出力される電力を用いて揚水を行う揚水式発電において、揚水に要した燃料費を算出するプログラムであって、
前記発電機を識別するための発電機識別子と、当該発電機において電力の出力量を所定量増やすときの燃料費の増分値である増分単価の前記電力の出力量に伴う推移を示すデータである推移データと、を対応付けて記憶する増分単価記憶部と、前記発電機識別子と、揚水時の前記発電機における電力の出力量である揚水時出力量と、を対応付けて記憶する揚水時出力量記憶部と、を備えるコンピュータに、
揚水動力控除後の前記発電機における増分単価である揚水動力控除後増分単価を、前記複数の発電機の夫々における、前記発電機出力量記憶部に記憶されている前記揚水時出力量と、前記揚水動力控除後増分単価に対して前記増分単価記憶部を参照して得られる前記電力の出力量と、の差の合計が前記揚水電力量記憶部に記憶されている前記揚水電力量となるように決定する手順と、
前記揚水に要した燃料費を、決定された当該揚水動力控除後増分単価に対する前記電力の出力量と、前記発電機出力量記憶部に記憶されている前記揚水時出力量と、前記増分単価記憶部に記憶されている前記推移データと、に基づいて算出する手順と、
を実行させるためのプログラム。
【発明の詳細な説明】
【技術分野】
【０００１】
本発明は、揚水燃料費算出装置、揚水燃料費算出方法、およびプログラムに関する。
【背景技術】
【０００２】
揚水式水力発電においては、夜間など電力需要の少ない時間帯に下池の水をポンプで上池に汲み上げ、電力需要がピークとなる昼間の時間帯に上池に貯められた水を下池に落とすことにより発電が行われる（例えば、特許文献１。）。
【特許文献１】特開２００１−１７２９４８号公報
【発明の開示】
【発明が解決しようとする課題】
【０００３】
ところで、揚水時にポンプを稼働させるために必要な電力は、石油や石炭等の火力発電所の電力の出力量を増加して供給している。  
そのため、揚水時に火力発電機の電力の出力量を増加させるために必要となった燃料費が、揚水式発電によって得られる電力により昼間のピーク時間帯に抑制される燃料費よりも安くなければ経済的な効果を得ることができない。  
しかしながら、揚水時における電力の出力量増加にあたっては、燃料や燃費特性の異なる複数の火力発電機が用いられるため、電力の出力量増加に要した費用を手作業で求めるにはかなりの手間と時間を要する。
【０００４】
本発明はかかる課題に鑑みてなされたものであり、揚水時に火力発電機が出力を増加した際に要した費用を算出する揚水燃料費算出装置、揚水燃料費算出方法、およびプログラムを提供することにある。
【課題を解決するための手段】
【０００５】
上記目的を達成するための、本発明のうち請求項１に記載の発明は、複数の発電機によって出力される電力を用いて揚水を行う揚水式発電において、揚水に要した燃料費を算出する揚水燃料費算出装置であって、ＣＰＵ及びメモリと、前記メモリに設けられた記憶領域である増分単価記憶部、揚水時出力量記憶部、及び揚水電力量記憶部と、前記ＣＰＵが前記メモリに記憶されているプログラムを実行することにより実現される揚水動力控除後増分単価決定部及び揚水燃料費算出部と、を備え、前記増分単価記憶部は、前記発電機を識別するための発電機識別子と、当該発電機において電力の出力量を所定量増やすときの燃料費の増分値である増分単価の前記電力の出力量に伴う推移を示すデータである推移データと、を対応付けて記憶し、前記揚水時出力量記憶部は、前記発電機識別子と、揚水時の前記発電機における電力の出力量である揚水時出力量と、を対応付けて記憶し、前記揚水電力量記憶部は、揚水に用いられた電力量である揚水電力量を記憶し、前記揚水動力控除後増分単価決定部は、揚水動力控除後の前記発電機における増分単価である揚水動力控除後増分単価を、前記複数の発電機の夫々における、前記発電機出力量記憶部に記憶されている前記揚水時出力量と、前記揚水動力控除後増分単価に対して前記増分単価記憶部を参照して得られる前記電力の出力量と、の差の合計が前記揚水電力量記憶部に記憶されている前記揚水電力量となるように決定し、前記揚水燃料費算出部は、前記揚水に要した燃料費を、前記揚水動力控除後増分単価決定部によって決定された前記揚水動力控除後増分単価に対する前記電力の出力量と、前記発電機出力量記憶部に記憶されている前記揚水時出力量と、前記増分単価記憶部に記憶されている前記推移データと、に基づいて算出することとする。
【０００６】
ここで、揚水燃料費算出装置は、パーソナルコンピュータやワークステーション等のコンピュータ装置である。そして、揚水に用いられる電力を出力する発電機とは、石炭や石油等の燃料を用いる火力発電機である。また、これらの発電機の出力量は、電力の出力量を所定量増やすときの燃料費の増分値である増分単価が各発電機において等しくなるときに、トータルの燃料費が最も安くなる法則である等増分燃料費法（等λ法）に従って決定されることとする。なお、一般的に、各発電機の増分単価は、電力の出力量が増加するに伴い増分単価が高くなる。
【０００７】
このような環境において、揚水燃料費算出装置のメモリに、各発電機における増分単価の推移データと、揚水時の各発電機の出力量と、揚水ポンプ等の揚水機の動力として用いられた電力量とを記憶しておくだけで、揚水に要した燃料費を算出することができる。
【０００８】
また、本発明のうち請求項２に記載の発明は、請求項１に記載の揚水燃料費算出装置であって、前記ＣＰＵが前記メモリに記憶されているプログラムを実行することにより実現される揚水時出力量受信部及び揚水電力量受信部を備え、前記揚水時出力量受信部は、通信可能に接続され、前記発電機における前記電力の出力量を管理しているコンピュータから送信されてくる前記発電機識別子及び前記揚水時出力量を受信し、当該発電機識別子及び当該揚水時出力量を対応付けて前記揚水時出力量記憶部に記録し、前記揚水電力量受信部は、通信可能に接続され、揚水に用いられた電力量を管理しているコンピュータから送信されてくる前記揚水電力量を受信し、当該揚水電力量を前記揚水電力量記憶部に記録することとする。
【０００９】
発電所においては、各発電機の出力量の制御や揚水に用いられるポンプへの給電等の制御を行う自動給電システムが稼働している。そこで、当該自動給電システムを構成するコンピュータから、揚水時における各発電機の出力量およびポンプに給電された電力量を受信することにより、出力量及び電力量の記録や入力等の作業を行うことなく、揚水に要した燃料費を自動で算出することができる。
【００１０】
また、本発明のうち請求項３に記載の発明は、複数の発電機によって出力される電力を用いて揚水を行う揚水式発電において、揚水に要した燃料費を、前記発電機を識別するための発電機識別子と、当該発電機において電力の出力量を所定量増やすときの燃料費の増分値である増分単価の前記電力の出力量に伴う推移を示すデータである推移データとを対応付けて記憶する増分単価記憶部と、前記発電機識別子と、揚水時における前記発電機における電力の出力量である揚水時出力量と、を対応付けて記憶する揚水時出力量記憶部と、を備えるコンピュータを用いて算出する方法であって、前記コンピュータは、揚水動力控除後の前記発電機における増分単価である揚水動力控除後増分単価を、前記複数の発電機の夫々における、前記発電機出力量記憶部に記憶されている前記揚水時出力量と、前記揚水動力控除後増分単価に対して前記増分単価記憶部を参照して得られる前記電力の出力量と、の差の合計が前記揚水電力量記憶部に記憶されている前記揚水電力量となるように決定し、前記揚水に要した燃料費を、決定された当該揚水動力控除後増分単価に対する前記電力の出力量と、前記発電機出力量記憶部に記憶されている前記揚水時出力量と、前記増分単価記憶部に記憶されている前記推移データと、に基づいて算出することとする。
【００１１】
また、本発明のうち請求項４に記載の発明は、複数の発電機によって出力される電力を用いて揚水を行う揚水式発電において、揚水に要した燃料費を算出するプログラムであって、前記発電機を識別するための発電機識別子と、当該発電機において電力の出力量を所定量増やすときの燃料費の増分値である増分単価の前記電力の出力量に伴う推移を示すデータである推移データと、を対応付けて記憶する増分単価記憶部と、前記発電機識別子と、揚水時における前記発電機における電力の出力量である揚水時出力量と、を対応付けて記憶する揚水時出力量記憶部と、を備えるコンピュータに、揚水動力控除後の前記発電機における増分単価である揚水動力控除後増分単価を、前記複数の発電機の夫々における、前記発電機出力量記憶部に記憶されている前記揚水時出力量と、前記揚水動力控除後増分単価に対して前記増分単価記憶部を参照して得られる前記電力の出力量と、の差の合計が前記揚水電力量記憶部に記憶されている前記揚水電力量となるように決定する手順と、前記揚水に要した燃料費を、決定された当該揚水動力控除後増分単価に対する前記電力の出力量と、前記発電機出力量記憶部に記憶されている前記揚水時出力量と、前記増分単価記憶部に記憶されている前記推移データと、に基づいて算出する手順と、を実行させることとする。
【発明の効果】
【００１２】
本発明によれば、揚水時に火力発電機が出力を増加した際に要した費用を算出する揚水燃料費算出装置、揚水燃料費算出方法、およびプログラムを提供することができる。
【発明を実施するための最良の形態】
【００１３】
＝＝全体構成＝＝
図１は、本発明の一実施形態である揚水燃料費算出装置１を含む情報処理システムの構成を示す図である。揚水燃料費算出装置１は、自動給電システムにおける発電機出力制御装置２および揚水電力制御装置３とネットワーク４を介して通信可能に接続されている。
【００１４】
揚水燃料費算出装置１は、パーソナルコンピュータやワークステーション等のコンピュータである。発電機出力制御装置２は、火力発電所や原子力発電所等における様々な発電機の電力の出力量を制御するコンピュータである。また、揚水電力制御装置３は、揚水式発電において、下池の水を上池に汲み上げるポンプに供給する電力を制御するコンピュータである。なお、発電機出力制御装置２および揚水電力制御装置３を合わせて１台のコンピュータで実現することもできる。また、ネットワーク４は、専用回線やＬＡＮ（Local Area Network）等の通信回線である。
【００１５】
＝＝ハードウェア構成＝＝
図２は、揚水燃料費算出装置１のハードウェア構成を示す図である。揚水燃料費算出装置１は、ＣＰＵ１０、メモリ１１、記憶装置１２、記録媒体読取装置１３、通信インタフェース１４、入力装置１５、及び出力装置１６を備えている。
【００１６】
記憶装置１２に記憶されているプログラムがメモリ１１に順次格納され、ＣＰＵ１０がメモリ１１に格納されたプログラムを実行する。ここで、記憶装置１２とは例えばハードディスクドライブ等である。また、記録媒体読取装置１３は、ＣＤ−ＲＯＭ等の記録媒体１７に記録されたプログラムを読みとり、記憶装置１２に格納することもできる。
【００１７】
通信インタフェース１４は、ネットワーク４を介して発電機出力制御装置２や揚水電力制御装置３とデータの送受信を行うためのインタフェースである。入力装置１５とは、データを入力するための装置であり、キーボードやマウス等である。また、出力装置１６とは、データを出力するための装置であり、ディスプレイやプリンタ等である。
【００１８】
＝＝データ構造および機能構成＝＝
次に、揚水燃料費算出装置１のメモリ１１に記憶されるデータの構造および揚水燃料費算出装置１が備える機能について説明する。図３は、揚水燃料費算出装置１が備える記憶部および機能部を示す図である。記憶部には、メモリ１１に設けられた記憶領域である、増分単価記憶部２０、揚水時出力量記憶部２１、及び揚水電力量記憶部２２が含まれている。また、機能部には、ＣＰＵ１０がメモリ１１に記憶されているプログラムを実行することにより実現される、揚水時出力量受信部２３、揚水電力量受信部２４、揚水動力控除後増分単価決定部２５、及び揚水燃料費算出部２６が含まれている。
【００１９】
まず、記憶部について説明する。図４は、増分単価記憶部２０のデータ構造を示す図である。増分単価記憶部２０には、発電機識別子、最低出力量、最低出力量での増分単価、最大出力量、及び最大出力量での増分単価が対応付けられて記憶されている。なお、増分単価とは、発電機において電力の出力量を所定量増やすときの燃料費の増分値である。
【００２０】
発電機識別子は、火力発電機を識別するための識別子である。最低出力量は火力発電機における最低の電力の出力量である。最低出力量での増分単価は、火力発電機を最低出力で運転する際の増分単価である。最大出力量は火力発電機における最大の電力の出力量である。最大出力量での増分単価は、火力発電機を最大出力で運転する際の増分単価である。図４の例では、発電機（ｉ）［ｉ＝１〜４］に対するこれらの値が示されている。ここで、発電機（ｉ）の最低出力量をPimin、最大出力量をPimax、最低出力量での増分単価をλimin、最大出力量での増分単価をλimaxと表すこととする。
【００２１】
図５は、発電機（ｉ）［ｉ＝１〜４］の増分単価（λi）の電力の出力量（Pi）に伴う推移を示す図である。図に示すように、発電機（ｉ）における増分単価（λi）の電力の出力量（Pi）に伴う推移は、（Pimin, λimin）と（Pimax, λimax）とを結ぶ直線により示される。つまり、増分単価記憶部２０に記憶されている（Pimin, λimin）および（Pimax, λimax）は、発電機（ｉ）における増分単価の電力の出力量に伴う推移を示すデータである推移データと言うことができる。
【００２２】
なお、本実施の形態においては、推移データとして（Pimin, λimin）および（Pimax, λimax）を用い、増分単価の推移は（Pimin, λimin）および（Pimax, λimax）を結ぶ直線によって示されることとしたが、これに限られるものではない。例えば、増分単価の推移を示す直線の一次式を推移データとすることも可能である。つまり、発電機（ｉ）における増分単価の推移が「λi = AiPi + Bi（但し、Pimin≦Pi≦Pimax）」の一次式で表される場合であれば、その一次式の傾き（Ai）、切片（Bi）、及び範囲の上限・下限（Pimin, Pimax）を発電機（ｉ）に対する推移データとすることもできる。また、例えば、発電機（ｉ）に対する推移データとして、多数の（Pi, λi）の集合を用いることも可能である。この場合、増分単価の推移は、（Pi, λi）を電力の出力量（Pi）の小さい順に結んで得られる線によって示される。
【００２３】
図６は、揚水時出力量記憶部２１のデータ構造を示す図である。揚水時出力量記憶部２１には、発電機識別子と揚水時出力量とが対応付けられて記憶されている。揚水時出力量（Pia）は、揚水時における発電機（ｉ）の電力の出力量である。また、図７は、揚水電力量記憶部２２のデータ構造を示す図である。揚水電力量記憶部２２には、揚水を行うポンプに給電された電力量である揚水電力量（Ppump）が記憶されている。
【００２４】
次に、機能部について説明する。揚水時出力量受信部２３は、発電機出力制御装置２から送信されてくる発電機識別子及び揚水時出力量を受信し、当該発電機識別子及び当該揚水時出力量を対応付けて揚水時出力量記憶部２１に記録する。また、揚水電力量受信部２４は、揚水電力制御装置３から送信されてくる揚水電力量を受信し、当該揚水電力量を揚水電力量記憶部２２に記録する。
【００２５】
揚水動力控除後増分単価決定部２５は、揚水動力控除後の発電機における増分単価である揚水動力控除後増分単価（Λ）を、揚水電力量（Ppump）、揚水時出力量（Pia）、および推移データに基づいて決定する。つまり、各発電機における、揚水時出力量（Pia）と、当該揚水動力控除後増分単価（Λ）に対する電力の出力量（Pib）との差の合計が揚水電力量（Ppump）となるように、揚水動力控除後増分単価（Λ）が決定されることとなる。そして、揚水燃料費算出部２６は、揚水に要した燃料費を、揚水動力控除後増分単価（Λ）に対する電力の出力量（Pib）、揚水時出力量（Pia）、および推移データに基づいて算出する。
【００２６】
＝＝揚水燃料費算出処理＝＝
次に、揚水燃料費算出装置１が揚水に要した燃料費を算出する処理である、揚水燃料費算出処理について説明する。図８は、揚水燃料費算出処理のフローチャートである。
【００２７】
まず、揚水時出力量受信部２３は、発電機出力制御装置２から送信されてくる各発電機の発電機識別子および揚水時出力量を受信し（Ｓ８０１）、当該発電機識別子と当該揚水時出力量とを対応付けて揚水時出力量記憶部２１に記録する（Ｓ８０２）。そして、揚水電力量受信部２４は、揚水電力制御装置３から送信されてくる揚水電力量を受信し（Ｓ８０３）、当該揚水電力量を揚水電力量記憶部２２に記録する（Ｓ８０４）。
【００２８】
続いて、揚水動力控除後増分単価決定部２５は、式（１）および式（２）を満たす揚水動力控除後増分単価（Λ）を求める（Ｓ８０５）。ここで、式（１）におけるAiおよびBiは、発電機（ｉ）の（Pimin, λimin）と（Pimax, λimax）とを結んで得られる一次式の傾きおよび切片である。また、式（１）および式（２）におけるnは揚水に用いられる電力を発電する火力発電機の数であり、Pibは揚水動力控除後の発電機（ｉ）の電力の出力量である。  
【数１】
2006077636.tif 000003
【００２９】
式（１）は、各発電機の出力量が等増分燃料費法に則って運用されており、揚水動力控除後の各発電機における増分単価が等しいということを表している。また、式（２）は、揚水時における各発電機の電力の出力量（Pia）と揚水動力控除後の各発電機の電力の出力量（Pib）との差を合計したものが揚水に要した電力量（Ppump）となることを表している。
【００３０】
ただし、PibおよびΛを決定するにあたっては、各発電機の最低出力量（Pimin）および最大出力量（Pimax）を考慮する必要がある。そこで、揚水動力控除後増分単価決定部２５は、式（１）および式（２）を満たすPibのうち、Piaを超えているものがあるか確認する（Ｓ８０６）。Pib＞Piaである場合（Ｓ８０６：Ｙ）、揚水動力控除後増分単価決定部２５は、その発電機（ｉ）のPibにPiaを設定し（Ｓ８０７）、再度、式（１）および式（２）を満たす揚水動力控除後増分単価（Λ）および各発電機の揚水動力控除後の電力の出力量（Pib）を求める（Ｓ８０５）。
【００３１】
そして、Piaを超えているPibがない場合（Ｓ８０６：Ｎ）、揚水動力控除後増分単価決定部２５は、式（１）および式（２）を満たすPibのうち、Pimin未満のものがあるか確認する（Ｓ８０８）。Pib＜Piminである場合（Ｓ８０８：Ｙ）、揚水動力控除後増分単価決定部２５は、その発電機（ｉ）のPibにPiminを設定し（Ｓ８０９）、再度、式（１）および式（２）を満たす揚水動力控除後増分単価（Λ）および各発電機の揚水動力控除後の電力の出力量（Pib）を求める（Ｓ８０５）。
【００３２】
揚水動力控除後増分単価決定部２５は、Ｓ８０５〜Ｓ８０９の処理で得られたΛを揚水動力控除後増分単価として決定し（Ｓ８１０）、Pibを各発電機の揚水動力控除後の電力の出力量として決定する（Ｓ８１１）。
【００３３】
図９は、図４および図５で例示した発電機（ｉ）［ｉ＝１〜４］に対する、揚水動力控除後増分単価（Λ）および各発電機の揚水動力控除後の電力の出力量（Pib）を示す図である。なお、揚水時出力量（Pia）および揚水電力量（Ppump）は図６および図７に示した通りである。図に示すように、揚水動力控除後増分単価決定部２５によって決定された揚水動力控除後増分単価（Λ）は、５５０銭／ｋＷｈである。各発電機の揚水動力控除後の電力の出力量（Pib）は、「AiPib + Bi = 550」を満たすように求められるが、前述の通り、最低出力量（Pimin）および最大出力量（Pimax）を考慮して補正される。つまり、発電機１におけるP1bはP1minに、発電機４におけるP4bはP4aに、それぞれ補正される。
【００３４】
このようにして、揚水動力控除後増分単価（Λ）および揚水動力控除後の電力の出力量（Pib）が決定されると、揚水燃料費算出部２６は、式（３）に基づいて、揚水に要した燃料費（Cpump）を算出する（Ｓ８１２）。ここで、λiaは発電機（ｉ）の揚水時の電力の出力量（Pia）に対する増分単価であり、λibは揚水動力控除後の電力の出力量（Pib）に対する増分単価である。なお、λiaおよびλibは、推移データによって示される一次式の「λi = AiPi + Bi」に基づいて求められる。  
【数２】
2006077636.tif 000004
【００３５】
さらに、揚水燃料費算出部２６は、式（４）に基づいて、揚水に要した燃料費の単価（Ｘ）を算出する。ここで、ηは揚水におけるポンプ効率である。ポンプ効率は、ポンプに供給される電力量のうち、機械の摩擦による損失等を除いて実際の動力として用いられるエネルギーの割合を示す値であり、一般的には0.7程度である。  
【数３】
2006077636.tif 000005
【００３６】
なお、本実施形態においては、揚水時出力量（Pia）が発電機ごとに１つずつ揚水時出力量記憶部２１に記憶され、１つの揚水電力量（Ppump）が揚水電力量記憶部２２に記憶されていることとしたが、複数の時間における揚水時出力量（Pia）および揚水電力量（Ppump）が記憶されていることとしてもよい。例えば、揚水燃料費算出装置１は、発電機出力制御装置２および揚水制御装置３から１時間ごとに送信されてくる揚水時出力量（Pia）および揚水電力量（Ppump）を揚水時出力量記憶部２１および揚水電力量記憶部２２に記憶しておくこともできる。そして、揚水燃料費算出装置１は、各時間における揚水に要した燃料費を前述の処理（Ｓ８０５〜Ｓ８１３）にしたがって算出し、算出された各時間の燃料費の平均値を求めることも可能である。また、揚水電力量記憶部２２に記憶されている電力量は、複数の揚水ユニットの電力量の合計でも良い。
【００３７】
以上に説明したように、揚水燃料費算出装置１のメモリ１１に、各発電機における増分単価の推移データと、揚水時の各発電機の出力量（Pia）と、揚水ポンプ等の揚水機の動力として用いられた電力量（Ppump）とを記憶しておくだけで、揚水に要した燃料費（Cpump）および燃料費の単価（Ｘ）を算出することができる。
【００３８】
また、自動給電システムを構成する発電機出力制御装置２および揚水電力制御装置３から、揚水時における各発電機の出力量（Pia）およびポンプに給電された電力量（Ppump）を受信することにより、出力量及び電力量の記録や入力等の作業を行うことなく、揚水に要した燃料費（Cpump）および燃料費の単価（Ｘ）を自動で算出することができる。
【００３９】
以上本発明の実施形態について説明したが、以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００４０】
【図１】本発明の一実施形態である揚水燃料費算出装置を含む情報処理システムの構成を示す図である。
【図２】揚水燃料費算出装置のハードウェア構成を示す図である。
【図３】揚水燃料費算出装置が備える記憶部および機能部を示す図である。
【図４】増分単価記憶部のデータ構造を示す図である。
【図５】発電機１〜発電機４の増分単価（λ）の電力の出力量（Ｐ）に伴う推移を示す図である。
【図６】揚水時出力量記憶部のデータ構造を示す図である。
【図７】揚水電力量記憶部のデータ構造を示す図である。
【図８】揚水燃料費算出処理のフローチャートである。
【図９】発電機１〜発電機４に対する、揚水動力控除後増分単価（Λ）および各発電機の揚水動力控除後の電力の出力量（Pib）を示す図である。
【符号の説明】
【００４１】
１  揚水燃料費算出装置                  ２  発電機出力制御装置
３  揚水電力制御装置                    ４  ネットワーク
１０  ＣＰＵ                            １１  メモリ
１２  記憶装置                          １３  記録媒体読取装置
１４  通信インタフェース                １５  入力装置
１６  出力装置                          １７  記録媒体
２０  増分単価記憶部                    ２１  揚水時出力量記憶部
２２  揚水電力量記憶部                  ２３  揚水時出力量受信部
２４  揚水電力量受信部                  ２５  揚水動力控除後増分単価決定部
２６  揚水燃料費算出部
【図１】
2006077636.tif 000006
【図２】
2006077636.tif 000007
【図３】
2006077636.tif 000008
【図４】
2006077636.tif 000009
【図５】
2006077636.tif 000010
【図６】
2006077636.tif 000011
【図７】
2006077636.tif 000012
【図８】
2006077636.tif 000013
【図９】
2006077636.tif 000014